(57)【特許請求の範囲】
【請求項１】
ヘッド部および旋転ユニットを備える空気ポンプであって、
前記ヘッド部は、空気ポンプの一端に配置され、かつ第１斜面と、前記第１斜面の法線方向に沿って形成された第１接続部とを有し、
前記旋転ユニットは、第２斜面と、前記第２斜面の法線方向に沿って形成された第２接続部とを有し、前記第２接続部と前記ヘッド部の前記第１接続部とが結合する部位を軸に旋転し、かつ空気ポンプの長手方向に並ぶ収納位置と空気ポンプの長手方向に対し交差する展開位置との間で旋転し、位置を切り替えることができることを特徴とする空気ポンプ。
【請求項２】
前記旋転ユニットが展開位置に据えられ、前記旋転ユニットの外側が地面に当接する際、床置き空気ポンプになることを特徴とする請求項１に記載の空気ポンプ。
【請求項３】
前記旋転ユニットは、展開位置に据えられる際、空気ポンプとの間に直角または直角に近い角度を挟むことを特徴とする請求項１に記載の空気ポンプ。
【請求項４】
前記ヘッド部の前記第１斜面および前記旋転ユニットの前記第２斜面は、４５度の斜面であることを特徴とする請求項３に記載の空気ポンプ。
【請求項５】
前記旋転ユニットに装着され、かつ前記旋転ユニットが収納位置に据えられる際、空気ポンプの胴部に密着し、前記旋転ユニットが展開位置に据えられる際、前記胴部に垂直であり、一部分が前記旋転ユニットの外側に突出し、足で踏むための足置きになる補助ユニットを、さらに備えることを特徴とする請求項１に記載の空気ポンプ。
【請求項６】
前記旋転ユニットに装着される圧力計をさらに備えることを特徴とする請求項１、２、３または５に記載の空気ポンプ。
【請求項７】
前記ヘッド部の前記第１接続部は、前記第１斜面から突き出すシャフト状であり、
前記旋転ユニットの前記第２接続部は、前記第２斜面を凹ませて形成した陥没状であり、
前記ヘッド部の前記第１接続部は、空気ポンプの排気路に繋がる軸孔を中央に有し、
前記旋転ユニットの前記第２接続部は、前記圧力計に繋がる穿孔を中央に有していることを特徴とする請求項６に記載の空気ポンプ。
【請求項８】
管状チャンバーの胴部と、
前記胴部の一端に配置されているヘッド部と、
前記胴部内に装着されているピストンと、
一端が前記ピストンに固定され、他端が前記胴部の外側に突き出しているピストン棒と、
前記ピストン棒の他端に装着されているハンドルと、
前記ヘッド部に配置されている導気管と、
一端が前記導気管に連結されているホースと、
前記ホースの他端に装着されているチャックと、
をさらに備えることを特徴とする請求項１に記載の空気ポンプ。
【請求項９】
管状チャンバーの胴部と、
前記胴部の一端に配置されているヘッド部と、
前記胴部内に装着されているピストンと、
一端が前記ピストンに固定され、他端が前記胴部に突き出しているピストン棒と、
前記ピストン棒の他端に装着されているハンドルと、
前記旋転ユニットに配置されている導気管と、
一端が前記導気管に連結されているホースと、
前記ホースの他端に装着されているチャック
をさらに備えることを特徴とする請求項１に記載の空気ポンプ。
【発明の詳細な説明】
【技術分野】
【０００１】
本発明は、空気ポンプに関する。
【背景技術】
【０００２】
従来の空気入れ用のポンプすなわち空気ポンプは両手で握り、空気を入れるものである。使用方法は、一方の手で胴部を握り、他方の手でハンドルを握って空気を入れる。疲れやすいことが欠点である。
それに対し考案された携帯用床置き空気ポンプは、一端が地面に当接し、かつ同じ一端に折り畳み式足置きを有する。ユーザーは足置きを踏んで空気ポンプを固定することができる。使用の際に、片手で空気ポンプのハンドルを握って地面に向かって押すことにより空気を入れるため、操作力が小さくて済む。しかしながら、この構造は底部面積が小さ過ぎ、足置きが折り畳み式であるため、安定感が足りないだけでなく、操作の際に振動が起こりやすく、支障をきたす。また、従来の携帯用空気ポンプのほとんどは、圧力計が胴部に装着されるため、胴部が地面に垂直である際、圧力計を観察することが難しい。
【０００３】
それに対し、特許文献１に開示された空気ポンプは、回転可能なミラーを胴部に配置している。使用する場合にはミラーを外側に回転させ、ミラーによって圧力計を反射すれば上方から圧力計を観察することができる。使用しない場合にはミラーを胴部に付着させれば収納の便をはかることができる。しかしながら、ミラーを回転させる際、ミラーを胴部に垂直に回転させ、直角を生成することであってはならない。直角であれば、圧力計を映すことができない。つまり、ミラーと胴部との間は鋭角、例えば４５度にならなければならない。従って、観察に不便である。
【先行技術文献】
【特許文献】
【０００４】
【特許文献１】米国特許第６５５８１２９号明細書
【発明の概要】
【発明が解決しようとする課題】
【０００５】
本発明は、直立して操作する際に構造を安定させ、使用の便利をはかることが可能な空気ポンプを提供することを主な目的とする。
本発明は、圧力計を容易に観察することが可能な空気ポンプを提供することをもう一つの目的とする。
【課題を解決するための手段】
【０００６】
上述の目的を達成するために、本発明による空気ポンプは、ヘッド部に旋転ユニットを有する。旋転ユニットとヘッド部とは斜面を呈するように相互に連結される。旋転ユニットは、空気ポンプの長手方向と一直線になる収納位置と、空気ポンプの長手方向と直角になる展開位置との間で位置を切り替えることができる。旋転ユニットが展開位置に据えられる際、旋転ユニットの外側が地面に当接するため、本発明は床置き空気ポンプになる。旋転ユニットは圧力計を有する。旋転ユニットが展開位置に据えられる際、圧力計は空気ポンプのハンドルの方向に向くように旋転ユニットの内側に位置し、上向きになるため、観察の便をはかることができる。
【図面の簡単な説明】
【０００７】
【図１】本発明の第１実施形態による空気ポンプが収納位置に据えられる状態を示す斜視図である。
【図２】本発明の第１実施形態による空気ポンプが展開位置に据えられる状態を示す斜視図である。
【図３】本発明の第１実施形態による空気ポンプを示す分解斜視図である。
【図４】図１中の４−４線に沿った断面図である。
【図５】図２中の５−５線に沿った断面図である。
【図６】本発明の第２実施形態による空気ポンプが収納位置に据えられる状態を示す斜視図である。
【図７】本発明の第２実施形態による空気ポンプが展開位置に据えられる状態を示す斜視図である。
【発明を実施するための形態】
【０００８】
以下、本発明の複数の実施形態による空気ポンプを図面に基づいて説明する。
（第１実施形態）
図１〜図５に示すように、第１実施形態による空気ポンプ１０は、単気筒によって単一動作を進める空気ポンプである。空気ポンプ１０は、胴部１１、ピストン１２、ピストン棒１３、ハンドル１４、ヘッド部２０、導気管１５、ホース１６、チャック１７、逆止弁１８および通路１９を備える。胴部１１は管状チャンバーである。ピストン１２は胴部１１内に装着される。ピストン棒１３は、一端がピストン１２に固定され、他端が胴部１１の外側に突出する。ハンドル１４はピストン棒１３の他端に装着される。ヘッド部２０は胴部１１の一端に固定される。導気管１５はヘッド部２０に連結される。ホース１６は一端が導気管１５に連結される。チャック１７はホース１６の他端に装着される。逆止弁１８はヘッド部に装着される。通路１９はヘッド部２０に配置され、かつ胴部１１のチャンバー、導気管１５、逆止弁１８に繋がる。
【０００９】
本実施形態の特徴は下記の通りである。
ヘッド部２０は、外側端部に形成された斜面２１と、斜面２１の法線方向に沿って配置された接続部２２と、漏出防止弁２７と穿孔２８とを有する。斜面２１は傾斜角が４５度である。接続部２２は、突起シャフトを呈し、かつ大円形階段状部位２３と、小円形階段状部位２４と、大円形階段状部位２３および小円形階段状部位２４に形成された環状溝２５、２６とを有する。漏出防止弁２７は小円形階段状部位２４の環状溝２６に嵌合される。穿孔２８は接続部２２の中心線に沿って通路に繋がる。
【００１０】
旋転ユニット３０は、斜面３１と、斜面３１の法線方向に沿って配置された接続部３２と、二つのピン３５とを有する。接続部３２は二つの陥没状の円形階段状溝３３、３４を有する。二つの陥没状の円形階段状溝３３、３４は、突起シャフトを呈する接続部２２の装着に用いられる。ピン３５は、旋転ユニット３０に差し込まれ、かつ大円形階段状部位２３の環状溝２５の両側を貫通することによって旋転ユニット３０とヘッド部２０とを分離させず、自由旋転できるように連結する。漏出防止弁２７と円形階段状溝３４は密閉作用を果たす。従って、旋転ユニット３０は図４に示すように空気ポンプ１０と直列に並ぶ収納位置と、図５に示すように空気ポンプ１０との間に直角または直角に近い角度を挟む展開位置との間に旋転し、位置を切り替えることができる。
【００１１】
圧力計４０は、旋転ユニット３０に装着され、旋転ユニット３０の穿孔３６を介してヘッド部２０の穿孔２８に繋がる。図５に示すように旋転ユニット３０が展開位置に据えられる際、圧力計４０は空気ポンプ１０のハンドル１４の方向に向かうように旋転ユニット３０の内側に位置し、旋転ユニット３０は外側が地面に当接するため、本実施形態は床置き空気ポンプになる。このとき圧力計４０は上向きであるため、観察の便をはかることができる。
【００１２】
補助ユニット５０は、圧力計４０の反対側に位置するように旋転ユニット３０に装着される。旋転ユニット３０が収納位置に据えられる際、補助ユニット５０は胴部１１に密着する。旋転ユニット３０が展開位置に据えられる際、補助ユニット５０は胴部１１に垂直であり、一部分が旋転ユニット３０の外側に突出し、足で踏むための足置きになる。
【００１３】
本実施形態による空気ポンプは、一方の手で胴部１１を握り、他方の手でハンドル１４を握って空気を入れる携帯用空気ポンプである。このとき空気ポンプ１０は直線状を呈するため、握る角度から圧力計４０を観察することができる。一方、旋転ユニット３０が１８０度旋転し、旋転ユニット３０が胴部１１に垂直になる際、圧力計４０は胴部１１に垂直であるため、観察の便をはかることができる。このとき垂直状態を保持した上で空気ポンプ１０を地面に直立させ、補助ユニット５０を地面に当接させれば床置き空気ポンプになる。使用の際、片足で補助ユニット５０を踏み、片手でハンドル４０を握れば空気入れが楽になり、操作に便利になるだけでなく、構造を安定させることができる。使用が済んだとき、旋転ユニット３０が収納位置まで旋転し、空気ポンプ１０と直線になれば、空気ポンプ１０を自転車のフレームにしまうことができる。
【００１４】
（第２実施形態）
図６および図７に示すように、本発明の第２実施形態による空気ポンプ６０は構造が第１実施形態と大体同じである。第１実施形態との違いは次の通りである。第２実施形態において、導気管６１は旋転ユニット６２の前端に配置されるため、ホース６３およびチャック６４の配置位置が変わる。第２実施形態による空気ポンプ６０は操作方法が第１実施形態と同じである。
【００１５】
一方、本実施形態において、旋転ユニット３０と胴部１１との間の角度は直角に限らず、直角に近い角度であってもよい。かつ本実施形態は補助ユニット５０を増設するため、補助ユニット５０の形によって角度を補正し、補助ユニット５０の地面に接触する面に垂直に胴部１１を立てれば、床置き空気ポンプとして使用し、胴部１１を地面に垂直に保持することができる。言い換えれば、旋転ユニット３０とヘッド部２０との間の斜面は４５度を呈することが最も好ましい。４５度でなければ、補助ユニット５０によって角度を補正することができる。
【００１６】
上述した二つの実施形態は圧力計の使用を提示したが、これに限らず、圧力計を配置することなく、旋転ユニットのみによって手持ち式空気ポンプを直立式床置き空気ポンプに変身させる構成も本発明に含む。
【符号の説明】
【００１７】
１０：空気ポンプ
１１：胴部
１２：ピストン
１３：ビストン棒
１４：ハンドル
１５：導気管
１６：ホース
１７：チャック
１８：逆止弁
１９：通路
２０：ヘッド部
２１：斜面（第１斜面）
２２：接続部（第１接続部）
２３：大円形階段状部位
２４：小円形階段状部位
２５：環状溝
２６：環状溝
２７：漏出防止弁
２８：穿孔
３０：旋転ユニット
３１：斜面（第２斜面）
３２：接続部（第２接続部）
３３：円形階段状溝
３４：円形階段状溝
３５：ピン
４０：圧力計
５０：補助ユニット
６０：空気ポンプ
６１：導気管
６２：回転ユニット
６３：ホース
６４：チャック
【図１】
0005414855.tif 000002
【図２】
0005414855.tif 000003
【図３】
0005414855.tif 000004
【図４】
0005414855.tif 000005
【図５】
0005414855.tif 000006
【図６】
0005414855.tif 000007
【図７】
0005414855.tif 000008